(57)【要約】【構成】家屋に設置された基枠と下端に車椅子載置部を設けた昇降枠とを備え、前記基枠と前記昇降枠との間に平行四連リンクを介在させ、この平行四連リンクを駆動手段によって操作することによって前記昇降枠を作動させ、この昇降枠の作動に基づいて前記車椅子載置部を昇降させる家屋用車椅子昇降装置である。前記車椅子載置部を基板とこの基板の上面に重設された回転板とから構成し、前記基板を前記昇降枠に固定するとともに前記基板の略中心を軸として前記回転板を水平方向に回転可能である。【効果】前記車椅子載置部（回転板）に前記車椅子を載せる際にあたって何れの方向から押し上げても回転板を回転させることによって車椅子を前記家屋方向に向けることができる。前記車椅子載置部の前方に車椅子及び介護者のスペースのない狭い庭においても設置することができる。【選択図】    図１
0003174259.tif 000002
【実用新案登録請求の範囲】
【請求項１】
家屋に設置された基枠と下端に車椅子載置部を設けた昇降枠とを備え、前記基枠と前記昇降枠との間に平行四連リンクを介在させ、この平行四連リンクを駆動手段によって操作することによって前記昇降枠を作動させ、この昇降枠の作動に基づいて前記車椅子載置部を昇降させる家屋用車椅子昇降装置において、前記車椅子載置部を基板とこの基板の上面に重設された回転板とから構成し、前記基板を前記昇降枠に固定するとともに前記基板の略中心を軸として前記回転板を水平方向に回転可能としたことを特徴とする家屋用車椅子昇降装置。
【請求項２】
前記基枠は家屋内に設置され、前記昇降枠を上昇状態にした際家屋内に収容可能としたことを特徴とする請求項１の家屋用車椅子昇降装置。
【請求項３】
前記基枠は床面と鴨居との間に架設されていることを特徴とする請求項１又は請求項２の家屋用車椅子昇降装置。
【請求項４】
前記車椅子載置部は前記昇降枠方向に垂直状態に折り畳みでき、且つ、前記基板の略中心線から先端部は外側方向におり畳みできるとともに前記回転板の略中心線から先端部は内側方向におり畳み可能であることを特徴とする請求項１，請求項２又は請求項３の家屋用車椅子昇降装置。
【請求項５】
前記昇降枠に取っ手を設置し、前記車椅子載置部方向に延ばしたことを特徴とする請求項１，請求項２，請求項３又は請求項４の家屋用車椅子昇降装置。
【考案の詳細な説明】
【技術分野】
【０００１】
この考案は家屋用車椅子昇降装置に関し、家屋の出入口に設置され、使用者の座った車椅子を地面側から屋内の床面上に移載したり、屋内の床面上から地面側に移載する際に使用される。
【背景技術】
【０００２】
従来におけるこの種の車椅子昇降装置は、家屋に設置された基枠と下端に車椅子載置部を設けた昇降枠とを備え、前記基枠と前記昇降枠との間に平行四連リンクを介在させ、この平行四連リンクを駆動手段によって操作することによって前記昇降枠を作動させ、この昇降枠の作動に基づいて前記車椅子載置部を昇降させるものであり、使用者の座った車椅子を家屋内に移動する場合には、車椅子載置部を地面上に降ろした状態で車椅子を載せ、そのまま家屋内の床面と同じ高さまで上昇し、その状態で車椅子を前記車椅子載置部から下ろし、また、前記車椅子を家屋外に移動する場合には、逆の方法で行っていた。
【０００３】
【特許文献１】特開２００３−０１９１６４号公報
【特許文献１】特開２０００−１６６９７６号公報
【考案の開示】
【考案が解決しようとする課題】
【０００４】
しかしながら、従来の車椅子昇降装置にあっては、前記車椅子を家屋内に移動する場合において、前記車椅子載置部に前記車椅子を載せる際にあたって地面から前記家屋方向に向かって押し上げていたため、前記車椅子載置部の前方に車椅子及び介護者のスペースが必要とならざるを得ず、この結果、このスペースが採れない場所には設置することができないという不都合を有した。
【０００５】
この考案の課題は前記不都合を解消することである。
【課題を解決するための手段】
【０００６】
この課題を達成するために、この考案に係る家屋用車椅子昇降装置においては、家屋に設置された基枠と下端に車椅子載置部を設けた昇降枠とを備え、前記基枠と前記昇降枠との間に平行四連リンクを介在させ、この平行四連リンクを駆動手段によって操作することによって前記昇降枠を作動させ、この昇降枠の作動に基づいて前記車椅子載置部を昇降させる家屋用車椅子昇降装置において、前記車椅子載置部を基板とこの基板の上面に重設された回転板とから構成し、前記基板を前記昇降枠に固定するとともに前記基板の略中心を軸として前記回転板を水平方向に回転可能としたものである。
【０００７】
この場合、前記基枠を家屋内に設置し、前記昇降枠を上昇状態にした際前記基枠を家屋内に収容可能とすることもできる。
【０００８】
また、前記基枠を床面と鴨居との間に架設することもできる。
【０００９】
更に、前記車椅子載置部は前記昇降枠方向に垂直状態に折り畳みでき、且つ、前記基板の略中心線から先端部は外側方向におり畳みできるとともに前記回転板の略中心線から先端部は内側方向におり畳み可能にすることもできる。
【００１０】
さらに、前記昇降枠に取っ手を設置し、前記車椅子載置部方向に延ばすこともできる。
【考案の効果】
【００１１】
この考案に係る家屋用車椅子昇降装置は上記のように構成されているため、即ち、家屋に設置された基枠と下端に車椅子載置部を設けた昇降枠とを備え、前記基枠と前記昇降枠との間に平行四連リンクを介在させ、この平行四連リンクを駆動手段によって操作することによって前記昇降枠を作動させ、この昇降枠の作動に基づいて前記車椅子載置部を昇降させる家屋用車椅子昇降装置において、前記車椅子載置部を基板とこの基板の上面に重設された回転板とから構成し、前記基板を前記昇降枠に固定するとともに前記基板の略中心を軸として前記回転板を水平方向に回転可能としたため、前記車椅子載置部（回転板）に前記車椅子を載せる際にあたって何れの方向から押し上げても回転板を回転させることによって車椅子を前記家屋方向に向けることができるものである。
【００１２】
よって、この家屋用車椅子昇降装置を使用すれば、前記車椅子載置部の前方に車椅子及び介護者のスペースのない狭い庭においても設置することができるものである。
【００１３】
この場合、前記基枠を家屋内に設置し、前記昇降枠を上昇状態にした際前記基枠を家屋内に収容可能とすれば、当該昇降装置を使用しないときは家屋内に収容することができるため、外気による損傷を防ぐことができる。
【００１４】
また、前記基枠を床面と鴨居との間に架設すれば、基枠を上下歩行に安定した状態で設置することができる。
【００１５】
更に、前記車椅子載置部は前記昇降枠方向に垂直状態に折り畳みでき、且つ、前記基板の略中心線から先端部は外側方向におり畳みできるとともに前記回転板の略中心線から先端部は内側方向におり畳み可能にすれば、前記車椅子載置部を基板とこの基板の上面に重設された回転板とから構成し、前記基板を前記昇降枠に固定するとともに前記基板の略中心を軸として前記回転板を水平方向に回転可能とした構成において、前記車椅子載置部を前記昇降枠方向に垂直状態に折り畳んだとき、さらに、コンパクト化することができる。
【００１６】
さらに、前記昇降枠に取っ手を設置し、前記車椅子載置部方向に延ばせば、車椅子Ｓが車椅子載置部に載置されたとき、車椅子使用者は両手で各々この取っ手を掴むことができ、安定した状態で昇降移動をすることができる。
【考案を実施するための最良の形態】
【００１７】
この考案に係る「家屋用車椅子昇降装置」は実施するにあたって以下の特徴を有する。
【００１８】
家屋に設置された基枠と下端に車椅子載置部を設けた昇降枠とを備えている。
【００１９】
前記基枠と前記昇降枠との間に平行四連リンクを介在させ、この平行四連リンクを駆動手段によって操作することによって前記昇降枠を作動させる。そして、この昇降枠の作動に基づいて前記車椅子載置部を昇降させる。
【００２０】
前記車椅子載置部を基板とこの基板の上面に重設された回転板とから構成する。
【００２１】
前記基板を前記昇降枠に固定するとともに前記基板の略中心を軸として前記回転板を水平方向に回転可能とする。
【００２２】
前記基枠は家屋内に設置され、前記昇降枠を上昇状態にした際家屋内に収容可能とする。
【００２３】
前記基枠は床面と鴨居との間に架設されている。
【００２４】
前記昇降枠に取っ手を設置し、前記車椅子載置部方向に延ばすこともできる
【００２５】
前記車椅子載置部は前記昇降枠方向に垂直状態に折り畳みでき、且つ、前記基板の略中心線から先端部は外側方向におり畳みできるとともに前記回転板の略中心線から先端部は内側方向におり畳み可能である。
【実施例１】
【００２６】
以下、図面に基づいてこの考案の実施例を説明する。
【００２７】
図１はこの考案に係る家屋用車椅子昇降装置の側面図、図２は図１におけるII―II線断面図、図３は図２におけるIII―III線断面図、図４は同畳んだ状態の図である。
【００２８】
図１において、Ｇは地面、１０はこの地面に設置された家屋である。この家屋１０において、１１は床板、１２は鴨居、１３はけた、１４は垂木、１５は上壁、１６は天井ふち、１７は天井、１８は引き戸である。
【００２９】
図１及び図２において、２１は固定板であり、前記床板１１に載置されている。この固定板２１は前記引き戸１７を開けた際にその前方は開放している。２２，２２は側枠であり、前記固定板２１の両側に溶接固定されている。これらの側枠２２，２２は上方に延びている（側枠２２は片方のみ図示）。２３は固定筒であり、前記側枠２２の上端に溶接されている。この固定筒２３は前記鴨居１２に掛け止めされ上方に延びている。２４はスライド筒であり、前記固定筒２３の上端開口に進退可能に内嵌めされている。このスライド筒２４は上方に延び、前記天井ふち１６に掛け止めされた状態で適宜手段によって固定される。このため、前記鴨居１２と前記天井ふち１６との間隔に合わせて前記側枠２２，２２を前記鴨居１２と前記天井ふち１６との間に固定することができる。前記固定板２１と前記側枠２２，２２とが考案の「基枠」に相当する。
【００３０】
３１は取付枠であり前記固定板２１に設置されている。また、３２，３３は一対の水平レバーであり、前記取付枠３１に揺動可能に設置されている。３４，３４は支持アーム（この考案の「昇降枠」に相当する）であり、その上端部において前記水平レバー３２，３３の先端部と揺動可能に連設されている。前記取付枠３１と前記一対の水平レバー３２，３３と前記支持アーム３４とによってこの考案の「平行四連リンク」が構成される。
【００３１】
４０はエアーピストン・シリンダ機構（この考案の「駆動手段」に相当する）であり、前記水平レバー３３の根幹揺動中心部と前記水平レバー３２の先端揺動中心部との間に設置されている。このエアーピストン・シリンダ機構４０において、ピストン４１を後退させることにより、前記一対の水平レバー３２，３３を水平状態にし、押し出すことにより、同レバー３２，３３を垂直状態にする。
【００３２】
図１〜図４において、５１は基板であり、前記支持アーム３４，３４の先端部に架設されている。この基板５１は水平に延び、その根幹部を中心として垂直状態に折り曲げることができる。また、この基板５１は、中心線Ａを介して基板基部５２とこの基板基部５２にヒンジを介して外側方向（図３矢印参照）に折り曲げ可能に連設された基板先端部５３とから構成されている。
【００３３】
６０は回転軸であり、前記基板５１の中心にボス６１を介して設置されている。このボス６１は前記基板基部５２は固定されているが前記基板先端部５３には固定されていない。
【００３４】
７１は回転板であり、前記基板５１に重ねられた状態で、前記回転軸６０に前記ボス６１を介して設置されている。このため、前記回転板７１は前記基板５１に対して水平方向に回転できる。この回転板７１は、中心線Ａを介して回転板基部７２とこの回転板基部７２にヒンジを介して内側方向（図３矢印参照）に折り曲げ可能に連設された回転板先端部７３とから構成されている。なお、前記回転板基部７２は前記ボス６１に固定されているが前記回転板先端部７３には固定されていないものである。
【００３５】
この基板５１と回転板７１がこの考案の「車椅子載置部」を構成し、図１に示すように、前記回転板７１に車椅子Ｓが載置される。
【００３６】
このため、前記車椅子載置部（回転板７１）に前記車椅子Ｓを載せる際にあたって何れの方向（例えば、家屋に向かって垂直な方向）から押し上げても回転板７１を回転させることによって車椅子Ｓを前記家屋１０方向に向けることができ、前記車椅子載置部（回転板７１）の前方（図１において右側）に車椅子Ｓ及び介護者のスペースのない狭い庭においても設置することができる。
【００３７】
なお、８１は補助板であり、前記回転板先端部７３にヒンジを介して折り曲げ可能に設置されている。車椅子Ｓが回転板７１に乗り上げる際に補助する。
【００３８】
このため、基板基部５２及び回転板基部７２を支持アーム３４，３４に対して折り曲げたとき（図４の状態）、前記基板先端部５３を外側に折り曲げ、回転板先端部７２を内側に折り曲げることができるため、「車椅子載置部」をコンパクトに収容することができる。なお、このとき、前記補助いた８１は回転板先端部７２の内側に折り畳んである。
【００３９】
なお、８２，８２は取っ手であり、前記支持アーム３４，３４に揺動可能に設置されている。この取っ手８２，８２は略水平位置で固定可能である。車椅子Ｓが前記回転板７１に載置されたとき、車椅子使用者は両手で各々この取っ手８２，８２を掴むことができ、安定した状態で昇降移動をすることができる。なお、使用しない場合には、この取っ手８２，８２を矢印方向に揺動して前記支持アーム３４，３４と一体化させればよい。
【産業上の利用可能性】
【００４０】
この考案に係る家屋用車椅子昇降装置は、前記車椅子載置部の前方に車椅子及び介護者のスペースのない狭い庭においても設置することができる。また、当該昇降装置を使用しないときは家屋内に収容することができるため、外気による損傷を防ぐことができる。よって、利用可能性は極めて高いものである。
【図面の簡単な説明】
【００４１】
【図１】図１はこの考案に係る家屋用車椅子昇降装置の側面図である。
【図２】図２は図１におけるII―II線断面図である。
【図３】図３は図２におけるIII―III線断面図である。
【図４】図４は同畳んだ状態の図である。
【符号の説明】
【００４２】
Ｇ  …  地面
１０  …  家屋
１１  …  床板
１２  …  鴨居
１３  …  桁
１４  …  垂木
１５  …  上壁
１６  …  天井ふち
１７  …  天井
１８  …  引き戸
２１  …  固定板（基枠）
２２  …  側枠（基枠）
２３  …  固定筒
２４  …  スライド筒
３１  …  取付枠（平行四連リンク）
３２  …  水平レバー（平行四連リンク）
３３  …  水平レバー（平行四連リンク）
３４  …  支持アーム（昇降枠）（平行四連リンク）
４０  …  エアーピストン・シリンダ機構（駆動手段）
４１  …  ピストン
５１  …  基板（車椅子載置部）
５２  …  基板基部
５３  …  基板先端部
Ａ  …  中心線
６０  …  回転軸
６１  …  ボス
７１  …  回転板（車椅子載置部）
７２  …  回転板基部
７３  …  回転板先端部
８１  …  補助板
８２  …  取っ手
【図１】
0003174259.tif 000003
【図２】
0003174259.tif 000004
【図３】
0003174259.tif 000005
【図４】
0003174259.tif 000006